(57)【要約】【課題】リモコン受信機能を有する電気機器であって、メモリ容量を無駄に使うことなく、リモコン送信機による操作で実行可能な機能を本体操作部の操作で実行させることができる電気機器を提供する。【解決手段】リモコン受信機能を有する電気機器であって、複数の本体キーを有する本体操作キー群１１と、外部から提供される特定のファイル（例えば、ＵＳＢメモリ１０３に格納されている本体キー割り当て変更ファイル）に基づいて、前記本体キーに割り当てられる機能を変更する制御部７とを備える電気機器。【選択図】図１
2012023630.tif 000002
【特許請求の範囲】
【請求項１】
リモコン受信機能を有する電気機器であって、
複数の本体キーを有する本体操作キー群と、
外部から提供される特定のファイルに基づいて、前記本体キーに割り当てられる機能を変更する制御部とを備えることを特徴とする電気機器。
【請求項２】
外部記録媒体を着脱自在に接続可能な外部記録媒体インターフェースを備え、
前記特定のファイルが前記外部記録媒体から提供される請求項１に記載の電気機器。
【請求項３】
前記特定のファイルを記録している外部記録媒体が前記外部記録媒体インターフェースに接続されている期間のみ、前記制御部が、前記特定のファイルに基づいて、前記本体キーに割り当てられる機能を変更する請求項２に記載の電気機器。
【請求項４】
ネットワークに接続されるネットワークインターフェースを備え、
前記特定のファイルが前記ネットワーク及びネットワークインターフェースを経由して提供される請求項１に記載の電気機器。
【請求項５】
前記特定のファイルを一時的に記憶する記憶部を備え、
前記記憶部に一時的に記憶された前記特定のファイルに基づいて、前記制御部が前記本体キーに割り当てられる機能を変更する請求項４に記載の電気機器。
【請求項６】
前記電機器が光ディスク装置であって、
前記特定のファイルが前記光ディスクから提供される請求項１に記載の電気機器。
【請求項７】
前記特定のファイルを一時的に記憶する記憶部を備え、
前記記憶部に一時的に記憶された前記特定のファイルに基づいて、前記制御部が前記本体キーに割り当てられる機能を変更する請求項６に記載の電気機器。
【発明の詳細な説明】
【技術分野】
【０００１】
本発明は、電気機器に関し、特にリモコン受信機能を有する電気機器に関する。
【背景技術】
【０００２】
近年、リモコン受信機能を有する電気機器においては、機器本体の小型化の要請から、機器の本体操作部のスペースを小さくするため、本体操作部のキーの個数をできるだけ少なくして、リモコン送信機側にキーを集中させる傾向にある。
【０００３】
このため、ユーザがリモコン送信機を紛失したり、リモコン送信機が故障したりした場合、リモコン送信機による操作でのみ実行可能な機能を実行させることができなくなってしまうという問題が生じる。
【先行技術文献】
【特許文献】
【０００４】
【特許文献１】特開２００５−８６４８１号公報（請求項２、第６図）
【特許文献２】特開２００６−１７９０９７号公報（請求項１、第４図）
【発明の概要】
【発明が解決しようとする課題】
【０００５】
上記のような問題を解決するための技術が特許文献１および特許文献２において提案されている。
【０００６】
特許文献１では、複数のキーを有する機器本体と、複数のキーを有するリモートコントローラとを備えたオーディオビジュアル機器であって、機器本体に設けられた第１特別キーと、機器本体に設けられた第２特別キーと、機器本体、リモートコントローラ、および前記機器本体に接続された表示部の動作を制御する制御部とを備え、前記第１特別キーが押される度に、前記制御部は前記リモートコントローラのキーの名称を順番に前記表示部に表示し、前記第２特別キーが押されると、前記制御部は前記表示部に表示されているキーの機能を実行するオーディオビジュアル機器が提案されている。
【０００７】
このような構成のオーディオビジュアル機器では、ユーザがリモコン送信機を紛失したり、リモコン送信機が故障したりした場合に備えて、前記第１特別キーが押される度に、前記リモートコントローラのキーの名称を順番に前記表示部に表示するために必要なデータを不揮発的に記憶しておく必要があるため、メモリ容量が無駄に使われていた。また、このような構成のオーディオビジュアル機器では、前記リモートコントローラのキーの名称が前記表示部に表示される順番が固定化されているため、或るユーザにとって使用頻度が高い前記リモートコントローラのキーの名称を表示させるために必要な前記第１特別キーの押回数が多ければ、そのユーザには使い勝手が悪いものになる。
【０００８】
特許文献２では、複数のキーを有するリモコンにより操作が可能であると共に、前記リモコンのキーの個数よりも少ない個数のキーを有する本体操作部を備え、光ディスクに対して情報の再生、または記録／再生を行う光ディスク装置であって、前記本体操作部の選択した２個の本体キーのうちの一方の本体キーを押し続けた状態で、他方の本体キーを押下したときの押下回数をカウントするカウンタと、前記押下回数のカウント値とリモコンキーのキーコードとリモコンキーの名称との対応関係を示すテーブルと、前記一方の本体キーを放した時の前記カウント値に対応したキーコードを前記テーブルより抽出して該キーコードが示すリモコンキーとして前記一方の本体キーの機能を確定するキー確定手段と、前記カウント値に対応するリモコンキーの名称を前記テーブルより抽出して表示手段に表示させるキー名称表示手段とを有するシステムコントローラを備えた光ディスク装置が提案されている。
【０００９】
このような構成の光ディスク装置では、ユーザがリモコン送信機を紛失したり、リモコン送信機が故障したりした場合に備えて、前記テーブルを不揮発的に記憶しておく必要があるため、メモリ容量が無駄に使われていた。また、このような構成の光ディスク装置では、前記テーブルでの前記押下回数のカウント値とリモコンキーのキーコードとリモコンキーの名称との対応関係が固定化されているため、或るユーザにとって使用頻度が高いリモコンキーに対応するカウント値が大きな値に設定されていれば、そのユーザには使い勝手が悪いものになる。
【００１０】
本発明は、上記の状況に鑑み、リモコン受信機能を有する電気機器であって、メモリ容量を無駄に使うことなく、リモコン送信機による操作で実行可能な機能を本体操作部の操作で実行させることができる電気機器を提供することを目的とする。
【課題を解決するための手段】
【００１１】
上記目的を達成するために本発明に係る電気機器は、リモコン受信機能を有する電気機器であって、複数の本体キーを有する本体操作キー群と、外部から提供される特定のファイルに基づいて、前記本体キーに割り当てられる機能を変更する制御部とを備える構成（第１の構成）とする。
【００１２】
このような構成によると、外部から提供される特定のファイルを用いて、リモコンキーの操作で実行可能な機能を本体キーの操作で実行させることができる。外部から提供される特定のファイルを用いるため、電気機器のメモリ容量を無駄に使うことがない。
【００１３】
上記第１の構成の電機機器において、外部記録媒体を着脱自在に接続可能な外部記録媒体インターフェースを備え、前記特定のファイルが前記外部記録媒体から提供されるようにしてもよい。この場合、前記特定のファイルを記録している外部記録媒体が前記外部記録媒体インターフェースに接続されている期間のみ、前記制御部が、前記特定のファイルに基づいて、前記本体キーに割り当てられる機能を変更することが望ましい。
【００１４】
上記第１の構成の電機機器において、ネットワークに接続されるネットワークインターフェースを備え、前記特定のファイルが前記ネットワーク及びネットワークインターフェースを経由して提供されるようにしてもよい。この場合、前記特定のファイルを一時的に記憶する記憶部を備え、前記記憶部に一時的に記憶された前記特定のファイルに基づいて、前記制御部が前記本体キーに割り当てられる機能を変更することが望ましい。
【００１５】
また、上記第１の構成の電機機器において、前記電機器を光ディスク装置とし、前記特定のファイルが前記光ディスクから提供されるようにしてもよい。この場合、前記特定のファイルを一時的に記憶する記憶部を備え、前記記憶部に一時的に記憶された前記特定のファイルに基づいて、前記制御部が前記本体キーに割り当てられる機能を変更することが望ましい。
【発明の効果】
【００１６】
本発明に係る電気機器は、上述の通り、リモコン受信機能を有する電気機器であって、複数の本体キーを有する本体操作キー群と、外部から提供される特定のファイルに基づいて、前記本体キーに割り当てられる機能を変更する制御部とを備える構成である。このような構成によると、外部から提供される特定のファイルを用いて、リモコンキーの操作で実行可能な機能を本体キーの操作で実行させることができる。外部から提供される特定のファイルを用いるため、電気機器のメモリ容量を無駄に使うことがない。
【図面の簡単な説明】
【００１７】
【図１】本発明の第１実施形態に係るＨＤＤ搭載ＤＶＤレコーダの概略構成を示す図である。
【図２】図１に示すＨＤＤ搭載ＤＶＤレコーダのＵＳＢインターフェースにＵＳＢメモリが接続されたときの動作を示すフローチャートである。
【図３】本体キー割り当ての変更例を示す図である。
【図４】本体キー割り当ての他の変更例を示す図である。
【図５】本発明の第２実施形態に係るＨＤＤ搭載ＤＶＤレコーダの概略構成を示す図である。
【図６】図５に示すＨＤＤ搭載ＤＶＤレコーダの所定の本体キーが長押しされたときの動作を示すフローチャートである。
【図７】本発明の第３実施形態に係るＨＤＤ搭載ＤＶＤレコーダの概略構成を示す図である。
【図８】図７に示すＨＤＤ搭載ＤＶＤレコーダのＤＶＤ記録再生部にＤＶＤが装着されたときの動作を示すフローチャートである。
【発明を実施するための形態】
【００１８】
本発明の実施形態について図面を参照して以下に説明する。ここでは、本発明に係る電気機器としてＨＤＤ（Hard Disk Drive）搭載ＤＶＤレコーダを例に挙げて説明を行う。
【００１９】
＜本発明の第１実施形態＞
本発明の第１実施形態に係るＨＤＤ搭載ＤＶＤレコーダの概略構成を図１に示す。図１に示す本発明の第１実施形態に係るＨＤＤ搭載ＤＶＤレコーダ１００（以下、「ＨＤＤ搭載ＤＶＤレコーダ１００」と略す）は、チューナ１と、映像音声処理部２と、ＯＳＤ（On Screen Display）部３と、出力部４と、ＨＤＤ記録再生部５と、ＤＶＤ記録再生部６と、制御部７と、不揮発性メモリ８と、受光部９と、ＵＳＢ（Universal Serial Bus）インターフェース１０と、本体操作キー群１１とを備えている。
【００２０】
チューナ１は、アンテナ１０２から受け取ったテレビ放送信号の選局及び復調（例えばＯＦＤＭ（Orthogonal Frequency Division Multiplexing）復調）を行う。映像音声処理部２は、チューナ１から受け取った映像音声信号又はＨＤＤ記録再生部５若しくはＤＶＤ記録再生部６で再生された映像音声信号又はＵＳＢインターフェース１０から受け取った映像音声信号を出力部４に送ったり、チューナ１又はＵＳＢインターフェース１０から受け取った映像音声信号をＨＤＤ記録再生部５又はＤＶＤ記録再生部６に送ったりする。ＯＳＤ部３は、制御部７からの指示に基づいて生成したＯＳＤ画像データを出力部４に送る。出力部４は、映像音声処理部２から受け取った映像信号とＯＳＤ部３から受け取ったＯＳＤ画像データとを合成した合成映像信号を外部に出力したり、上記合成処理を行わず映像音声処理部２から受け取った映像信号をそのまま外部に出力したり、上記合成処理を行わずＯＳＤ部３から受け取ったＯＳＤ画像データをそのまま外部に出力したり、映像音声処理部２から受け取った音声信号を外部に出力したりする。出力部４の出力信号は、ＨＤＤ搭載ＤＶＤレコーダ１００に接続されるテレビ受像機（不図示）に送出される。ＨＤＤ搭載ＤＶＤレコーダ１００に接続されるテレビ受像機は、出力部４の出力信号に基づく映像表示および音声出力を行う。
【００２１】
ＨＤＤ記録再生部５は、映像音声処理部２から受け取った映像音声信号をハードディスクに記録したり、ハードディスクに記録されている映像音声信号を再生したりする。また、ＤＶＤ記録再生部６は、映像音声処理部２から受け取った映像音声信号をＤＶＤに記録したり、ＤＶＤに記録されている映像音声信号を再生したりする。なお、ＤＶＤは、ＤＶＤ記録再生部６に対して着脱自在に装着される。
【００２２】
受光部９は、リモコン送信機１０１から送信されたリモコン赤外線信号を受光して電気信号に変換し、さらにその電気信号から操作コードを抽出して制御部７に出力する。制御部７は、不揮発性メモリ８に格納されている制御プログラム及び各種設定（例えば、各操作コードと各機能との対応関係を示すデータテーブル等）と、受光部９から受け取った操作コードと、複数の本体キーを有する本体操作キー群１１から出力される信号によって定まる操作コードとに応じて、ＨＤＤ搭載ＤＶＤレコーダ１００の各部を制御する。なお、ＵＳＢインターフェース１０にＵＳＢメモリ１０３が接続されたときのＨＤＤ搭載ＤＶＤレコーダ１００の動作については後述する。
【００２３】
リモコン送信機１０１は、発光部１２と、制御部１３と、複数のリモコンキーを有するリモコン操作キー群１４と、不揮発性メモリ１５とを備えている。なお、リモコン操作キー群１４が有しているリモコンキーの個数は、本体操作キー群１１が有している本体キーの個数より多い。
【００２４】
リモコン操作キー群１４は、ユーザのキー操作に応じた指示信号を制御部１３に送る。制御部１３は、不揮発性メモリ１５に格納されているデータテーブルを参照して、リモコン操作キー群１４から受け取った指示信号に対応する操作コードを発光部１２に送る。不揮発性メモリ１５に格納されているデータテーブルは、リモコン操作キー群１４から出力される各指示信号と各操作コードとの対応関係を示すデータテーブルである。発光部１２は、制御部１３から受け取った操作コードを搬送波信号に重畳し、その操作コードが重畳された搬送波信号（電気信号）をリモコン赤外線信号（光信号）に変換して出力する。
【００２５】
次に、ＵＳＢインターフェース１０にＵＳＢメモリ１０３が接続されたときのＨＤＤ搭載ＤＶＤレコーダ１００の動作について図２に示すフローチャートを参照して説明する。
【００２６】
ＵＳＢインターフェース１０にＵＳＢメモリ１０３が接続されたことを制御部７が認識すると、図２のフローチャート動作が開始する。
【００２７】
まずステップＳ１０において、制御部７は、本体キー割り当て変更ファイルがＵＳＢメモリ１０３に格納されているか否かを、ＵＳＢインターフェース１０を介して判定する。
【００２８】
本体キー割り当て変更ファイルをＵＳＢメモリ１０３に格納する方法としては、例えば、ＨＤＤ搭載ＤＶＤレコーダ１００の製造元が自社のホームページで本体キー割り当て変更ファイルを公開し、ユーザはインターネット接続可能なパーソナルコンピュータ等を利用してその本体キー割り当て変更ファイルをダウンロードし、ＵＳＢメモリ１０３に保存する方法が挙げられる。
【００２９】
本体キー割り当て変更ファイルがＵＳＢメモリ１０３に格納されていなければ（ステップＳ１０のＮＯ）、直ちにフロー動作を終了する。
【００３０】
一方、本体キー割り当て変更ファイルがＵＳＢメモリ１０３に格納されていれば（ステップＳ１０のＹＥＳ）、制御部７は、本体キー割り当て変更ファイルの内容に従って、本体キー割り当てを変更する（ステップＳ２０）。
【００３１】
ここで、本体操作キー群１１が３個の本体キー（第１の本体キー、第２の本体キー、第３の本体キー）を有している場合を例に挙げて、本体キー割り当ての変更例について図３を参照して説明する。
【００３２】
本体キー割り当て変更ファイルを格納しているＵＳＢメモリ１０３がＵＳＢインターフェース１０に接続されていない状態では、第１の本体キーに第１の機能が割り当てられ、第２の本体キーに第２の機能が割り当てられ、第３の本体キーに第３の機能が割り当てられている。
【００３３】
これに対して、本体キー割り当て変更ファイルを格納しているＵＳＢメモリ１０３がＵＳＢインターフェース１０に接続されると、第１の本体キー、第２の本体キー、第３の本体キーに割り当てられる機能が図３に示す内容に変更される。すなわち、本体キー割り当て変更ファイルを格納しているＵＳＢメモリ１０３がＵＳＢインターフェース１０に接続された直後は、第２の本体キーに第４の機能が割り当てられ、第３の本体キーに第５の機能が割り当てられる。その後、第１の本体キーが１回押されると、第２の本体キーに第６の機能が割り当てられ、第３の本体キーに第７の機能が割り当てられることになり、第１の本体キーが２回押されると、第２の本体キーに第８の機能が割り当てられ、第３の本体キーに第９の機能が割り当てられることになり、第１の本体キーが３回押されると、第２の本体キーに第１０の機能が割り当てられ、第３の本体キーに第１１の機能が割り当てられることになる。なお、第３〜１１の機能は本来リモコン操作キー群１４の各リモコンキーに割り当てられている機能である。
【００３４】
本体キー割り当ての変更が図３に示す内容である場合、第１０の機能や第１１の機能の使用頻度が高いユーザにとっては使い勝手が悪いものになる。そこで、本体キー割り当ての変更内容をユーザ自身がカスタマイズできることが望ましい。例えば、第１０の機能や第１１の機能の使用頻度が高いユーザは、カスタマイズにより本体キー割り当ての変更を図４に示す内容にすることができる。図３に示す内容から図４に示す内容へのカスタマイズのような順序入れ替え以外に、或るパターンの削除や新たなパターンの追加を実施するカスタマイズも考えられる。カスタマイズの実行手法としては、例えば、ＨＤＤ搭載ＤＶＤレコーダ１００の製造元ホームページで公開されている本体キー割り当て変更ファイル自体を、当該ホームページにアクセスした状態でカスタマイズ可能なものとし、カスタマイズ後の本体キー割り当て変更ファイルをダウンロードする手法、あるいは、ＨＤＤ搭載ＤＶＤレコーダ１００の製造元ホームページにおいて本体キー割り当て変更ファイルとともに、カスタマイズ用ツールファイルも公開し、ユーザはインターネット接続可能なパーソナルコンピュータ等を利用して本体キー割り当て変更ファイルとともにカスタマイズ用ツールファイルもダウンロードし、パーソナルコンピュータ等においてカスタマイズ用ツールファイルを用いて本体キー割り当て変更ファイルをカスタマイズする手法が考えられる。
【００３５】
図２に戻り、ＵＳＢインターフェース１０にＵＳＢメモリ１０３が接続されたときのＨＤＤ搭載ＤＶＤレコーダ１００の動作の続きを説明する。
【００３６】
本体キー割り当てを変更した後、すなわちステップＳ２０の処理後、制御部７は、ＵＳＢインターフェース１０とＵＳＢメモリ１０３との接続が解除されたか否かを判定する（ステップＳ３０）。ＵＳＢインターフェース１０とＵＳＢメモリ１０３との接続が解除された場合（ステップＳ３０のＹＥＳ）、制御部７は、本体キー割り当てをステップＳ２０の処理が実行される前の状態に戻し（ステップＳ４０）、フロー動作を終了する。
【００３７】
以上のような動作により、ＵＳＢメモリ１０３に格納されている本体キー割り当て変更ファイルを用いて、リモコンキーの操作で実行可能な機能を本体キーの操作で実行させることができる。ＵＳＢメモリ１０３に格納されている本体キー割り当て変更ファイルを用いるため、ＨＤＤ搭載ＤＶＤレコーダ１００のメモリ容量を無駄に使うことがない。また、本体キー割り当て変更ファイルがＨＤＤ搭載ＤＶＤレコーダ１００内部のメモリではなく、ＨＤＤ搭載ＤＶＤレコーダ１００外部のＵＳＢメモリ１０３に格納されているので、本体キー割り当て変更ファイルのカスタマイズが容易である。
【００３８】
＜本発明の第２実施形態＞
本発明の第２実施形態に係るＨＤＤ搭載ＤＶＤレコーダの概略構成を図５に示す。なお、図５において図１と同一の部分には同一の符号を付し詳細な説明を省略する。図５に示す本発明の第２実施形態に係るＨＤＤ搭載ＤＶＤレコーダ１０４（以下、「ＨＤＤ搭載ＤＶＤレコーダ１０４」と略す）は、ＨＤＤ搭載ＤＶＤレコーダ１００からＵＳＢインターフェース１０を取り除き、ネットワークインターフェース１６を新たに設けた構成であり、インターネット接続機能を有している。また、制御部７の具体的な制御において第１実施形態の場合と異なる部分がある。インターネット接続のためのネットワークケーブル１０５がネットワークインターフェース１６に接続される。
【００３９】
ＨＤＤ搭載ＤＶＤレコーダ１０４では、所定の本体キーが長押しされると、図６のフローチャート動作が開始する。
【００４０】
所定の本体キーが長押しされると、自動的に制御部７がネットワークインターフェース１６を介してＨＤＤ搭載ＤＶＤレコーダ１００の製造元のホームページにアクセスし、当該ホームページで公開されている本体キー割り当て変更ファイルをダウンロードして制御部７内部の一時記憶メモリ７Ａに保存する（ステップＳ１１０）。
【００４１】
ステップＳ１１０に続くステップＳ１２０において、制御部７は、本体キー割り当て変更ファイルの内容に従って、本体キー割り当てを変更する。
【００４２】
本体キー割り当ての変更例やカスタマイズ例は上述した第１実施形態と同様であるので、ここでは説明を省略する。カスタマイズの実行手法としては、例えば、ＨＤＤ搭載ＤＶＤレコーダ１０４の製造元ホームページで公開されている本体キー割り当て変更ファイル自体を、当該ホームページにアクセスした状態でカスタマイズ可能なものとし、カスタマイズ後の本体キー割り当て変更ファイルをダウンロードする手法が考えられる。この場合、本体キーを利用してカスタマイズを実行することになるので、カスタマイズを実行する際の操作性は上述した第１実施形態に比べると劣る。
【００４３】
ステップＳ１２０の処理後、制御部７は、ＨＤＤ搭載ＤＶＤレコーダ１０４に対して電源オフを指示する操作がなされたか否かを判定する（ステップＳ１３０）。例えば、電源オン状態において、本体操作キー群１１とは別に設けられている電源ボタン（不図示）がユーザにより押された場合に、ＨＤＤ搭載ＤＶＤレコーダ１０４に対して電源オフを指示する操作がなされたと判定するようにすればよい。
【００４４】
ＨＤＤ搭載ＤＶＤレコーダ１０４に対して電源オフを指示する操作がなされた場合（ステップＳ１３０のＹＥＳ）、制御部７は電源をオフにする処理を実行し（ステップＳ１４０）、フロー動作を終了する。電源のオフに伴い、制御部７内部の一時記憶メモリ（揮発性メモリ）７Ａに保存されていた本体キー割り当て変更ファイルが消滅する。したがって、次に電源が投入されたときには、本体キー割り当てはステップＳ１２０の処理が実行される前の状態に戻っていることになる。
【００４５】
以上のような動作により、インターネットを利用してダウンロードしてきた本体キー割り当て変更ファイルを用いて、リモコンキーの操作で実行可能な機能を本体キーの操作で実行させることができる。インターネットを利用してダウンロードしてきた本体キー割り当て変更ファイルは一時的に記憶されるだけであるため、ＨＤＤ搭載ＤＶＤレコーダ１０４のメモリ容量を無駄に使うことがない。
【００４６】
＜本発明の第３実施形態＞
本発明の第３実施形態に係るＨＤＤ搭載ＤＶＤレコーダの概略構成を図７に示す。なお、図７において図１および図５と同一の部分には同一の符号を付し詳細な説明を省略する。図７に示す本発明の第３実施形態に係るＨＤＤ搭載ＤＶＤレコーダ１０６（以下、「ＨＤＤ搭載ＤＶＤレコーダ１０６」と略す）は、ＨＤＤ搭載ＤＶＤレコーダ１０４からネットワークインターフェース１６を取り除いた構成である。また、制御部７の具体的な制御において第１実施形態および第２実施形態の場合と異なる部分がある。
【００４７】
次に、ＤＶＤ記録再生部６にＤＶＤ１０７が装着されたときのＨＤＤ搭載ＤＶＤレコーダ１０６の動作について図８に示すフローチャートを参照して説明する。
【００４８】
ＤＶＤ記録再生部６にＤＶＤ１０７が装着されたことを制御部７が認識すると、図７のフローチャート動作が開始する。
【００４９】
まずステップＳ２１０において、制御部７は、本体キー割り当て変更ファイルがＤＶＤ１０７に記録されているか否かを、ＤＶＤ記録再生部６を介して判定する。
【００５０】
本体キー割り当て変更ファイルをＤＶＤ１０７に記録する方法としては、例えば、ＨＤＤ搭載ＤＶＤレコーダ１０６の製造元が自社のホームページで本体キー割り当て変更ファイルを公開し、ユーザはインターネット接続可能なパーソナルコンピュータ等を利用してその本体キー割り当て変更ファイルをダウンロードし、ＤＶＤ１０７に保存する方法が挙げられる。また、本体キー割り当て変更ファイルを記録したＤＶＤ１０７をＨＤＤ搭載ＤＶＤレコーダ１０６の製造元が配布してもよい。
【００５１】
本体キー割り当て変更ファイルがＤＶＤ１０７に記録されていなければ（ステップＳ２１０のＮＯ）、直ちにフロー動作を終了する。
【００５２】
一方、本体キー割り当て変更ファイルがＤＶＤ１０７に記録されていれば（ステップＳ２１０のＹＥＳ）、制御部７は、ＤＶＤ記録再生部６により読み出された本体キー割り当て変更ファイルを制御部７内部の一時記憶メモリ７Ａに保存する（ステップＳ２２０）。
【００５３】
ステップＳ２２０に続くステップＳ２３０において、制御部７は、一時記憶メモリ７Ａに保存している本体キー割り当て変更ファイルの内容に従って、本体キー割り当てを変更する。
【００５４】
本体キー割り当ての変更例やカスタマイズ例は上述した第１実施形態と同様であるので、ここでは説明を省略する。
【００５５】
ステップＳ２３０の処理後、制御部７は、ＨＤＤ搭載ＤＶＤレコーダ１０６に対して電源オフを指示する操作がなされたか否かを判定する（ステップＳ２４０）。例えば、電源オン状態において、本体操作キー群１１とは別に設けられている電源ボタン（不図示）がユーザにより押された場合に、ＨＤＤ搭載ＤＶＤレコーダ１０６に対して電源オフを指示する操作がなされたと判定するようにすればよい。
【００５６】
ＨＤＤ搭載ＤＶＤレコーダ１０６に対して電源オフを指示する操作がなされた場合（ステップＳ２４０のＹＥＳ）、制御部７は電源をオフにする処理を実行し（ステップＳ２５０）、フロー動作を終了する。電源のオフに伴い、制御部７内部の一時記憶メモリ（揮発性メモリ）７Ａに保存されていた本体キー割り当て変更ファイルが消滅する。したがって、次に電源が投入されたときには、本体キー割り当てはステップＳ２３０の処理が実行される前の状態に戻っていることになる。
【００５７】
以上のような動作により、ＤＶＤ１０７に記録されている本体キー割り当て変更ファイルをＨＤＤ搭載ＤＶＤレコーダ１０６内部のメモリに一時的に記憶し、その一時的に記憶した本体キー割り当て変更ファイルを用いて、リモコンキーの操作で実行可能な機能を本体キーの操作で実行させることができる。本体キー割り当て変更ファイルは一時的に記憶されるだけであるため、ＨＤＤ搭載ＤＶＤレコーダ１０６のメモリ容量を無駄に使うことがない。また、本体キー割り当て変更ファイルがＨＤＤ搭載ＤＶＤレコーダ１０６内部のメモリではなく、ＨＤＤ搭載ＤＶＤレコーダ１０６外部のＤＶＤ１０７に記憶しているので、本体キー割り当て変更ファイルのカスタマイズが容易である。また、ＤＶＤ１０７に記録されている本体キー割り当て変更ファイルをＨＤＤ搭載ＤＶＤレコーダ１０６内部のメモリに一時的に記憶するので、ＤＶＤ１０７を別のＤＶＤに取り替えた後も本体キー割り当て変更ファイルの利用が可能である。
【００５８】
＜変形例＞
以上、本発明に係る実施形態について説明したが、本発明の範囲はこれに限定されるものではなく、発明の主旨を逸脱しない範囲で種々の変更を加えて実行することができる。
【００５９】
例えば、上述した第１実施形態では、外部記録媒体としてＵＳＢメモリを用いたが、ＵＳＢメモリ以外の外部記録媒体（例えばＳＤカード）を用いるようにしてもよい。この場合、ＵＳＢインターフェース１０に代えてまたはＵＳＢインターフェース１０の他に、ＵＳＢメモリ以外の外部記録媒体インターフェース（例えばＳＤカードインターフェース）に設け、本発明を適用してもよい。
【００６０】
また、例えば、上述した第２実施形態では、所定の本体キーが長押しされると、自動的に制御部７がネットワークインターフェース１６を介してＨＤＤ搭載ＤＶＤレコーダ１００の製造元のホームページにアクセスし、当該ホームページで公開されている本体キー割り当て変更ファイルをダウンロードしたが、これに代えてまたはこれに加えて、外部記録媒体インターフェース（例えばＵＳＢインターフェース）を設け、外部記録媒体インターフェースに外部記録媒体が接続されると、自動的に制御部７がネットワークインターフェース１６を介してＨＤＤ搭載ＤＶＤレコーダ１０４の製造元のホームページにアクセスし、当該ホームページで公開されている本体キー割り当て変更ファイルをダウンロードするようにしてもよい。
【００６１】
また、例えば、上述した第２実施形態および第３実施形態では、本体キー割り当て変更ファイルを一時記憶メモリ７Ａに記憶したが、これに代えて、本体キー割り当て変更ファイルを不揮発性メモリ８に記憶するようにしてもよい。この場合、電源オフの処理を実行する前に、不揮発性メモリ８が記憶している本体キー割り当て変更ファイルを意図的に破棄するようにして、本体キー割り当て変更ファイルの一時記憶を実現する。
【００６２】
また、本発明は、ＨＤＤ搭載ＤＶＤレコーダ以外のオーディオビジュアル機器（例えばテレビ受像機など）あるいはオーディオ機器（例えばＣＤプレーヤなど）やビジュアル機器（例えばプロジェクタなど）に適用でき、さらにはリモコン受信機能を有する電気機器全般に適用することができる。
【符号の説明】
【００６３】
１  チューナ
２  映像音声処理部
３  ＯＳＤ部
４  出力部
５  ＨＤＤ記録再生部
６  ＤＶＤ記録再生部
７  制御部
７Ａ  一時記憶メモリ
８  不揮発性メモリ
９  受光部
１０  ＵＳＢインターフェース
１１  本体操作キー群
１２  発光部
１３  制御部
１４  リモコン操作キー群
１５  不揮発性メモリ
１６  ネットワークインターフェース
１００  本発明の第１実施形態に係るＨＤＤ搭載ＤＶＤレコーダ
１０１  リモコン送信機
１０２  アンテナ
１０３  ＵＳＢメモリ
１０４  本発明の第２実施形態に係るＨＤＤ搭載ＤＶＤレコーダ
１０５  ネットワークケーブル
１０６  本発明の第３実施形態に係るＨＤＤ搭載ＤＶＤレコーダ
１０７  ＤＶＤ
【図１】
2012023630.tif 000003
【図２】
2012023630.tif 000004
【図３】
2012023630.tif 000005
【図４】
2012023630.tif 000006
【図５】
2012023630.tif 000007
【図６】
2012023630.tif 000008
【図７】
2012023630.tif 000009
【図８】
2012023630.tif 000010